(57)【要約】【課題】風呂蓋の両面における被覆部でのすべり易さが異なり、利便性を向上することができる風呂蓋を提供する。【解決手段】風呂蓋１００は、板状の蓋本体１と、蓋本体１の両面の縁部を覆う被覆材２とを備える。被覆材２の被覆部２１および被覆部２２において、各被覆部における蓋本体１の一面側の縁部を覆う第１部分の硬度は、それぞれ他面側の縁部を覆う第２部分の硬度よりも高い。【選択図】図３
2017119006.tif 000002
【特許請求の範囲】
【請求項１】
板状の蓋本体と、該蓋本体の両面の縁部を覆う被覆材と、を備え、
前記被覆材は、前記蓋本体の一面側の縁部を覆う第１部分の硬度が、他面側の縁部を覆う第２部分の硬度よりも高いことを特徴とする風呂蓋。
【請求項２】
前記第１部分は９０以上のショアＡ硬度を有し、前記第２部分は８０以上９０未満のショアＡ硬度を有することを特徴とする請求項１に記載の風呂蓋。
【請求項３】
前記被覆材は、前記蓋本体の外周端面を覆う端面被覆部を有し、
該端面被覆部の硬度が前記第１部分の硬度と同じであることを特徴とする請求項１または２に記載の風呂蓋。
【請求項４】
前記第１部分の表面が平坦状をなし、前記第２部分の表面に凹凸が設けられていることを特徴とする請求項１から３のいずれか１項に記載の風呂蓋。
【請求項５】
板状の蓋本体と、該蓋本体の両面の縁部を覆う被覆材と、を備え、
前記被覆材は、前記蓋本体の一面側の縁部を覆う第１部分の表面が平坦状をなし、前記蓋本体の他面側の縁部を覆う第２部分の表面に凹凸が設けられていることを特徴とする風呂蓋。
【請求項６】
前記蓋本体は、芯材および該芯材の前記一面側を覆うクッション材を有することを特徴とする請求項１から５のいずれか１項に記載の風呂蓋。
【発明の詳細な説明】
【技術分野】
【０００１】
本発明は、浴槽の上に載せる風呂蓋に関する。
【背景技術】
【０００２】
風呂蓋は、保温性を高めるべく発泡樹脂等の断熱素材からなる芯材を有する蓋本体と、蓋本体の両面の縁部および外周端面を覆って補強する被覆部とから構成されている。
【０００３】
例えば、特許文献１には、蓋本体と一体成形されたウレタン樹脂製の被覆部を有し、被覆部の表面に微小な凹凸を設けてすべり止めとした風呂蓋が開示されている。
【先行技術文献】
【特許文献】
【０００４】
【特許文献１】特開平７−３１３３９０号公報
【発明の概要】
【発明が解決しようとする課題】
【０００５】
しかしながら、特許文献１に記載の風呂蓋は、風呂蓋の多機能化、例えば座面やテーブルとしての利用性については検討されておらず、風呂蓋を被覆部で浴槽の上部に載せてすべり易い状態で利用したい場合には利便性を欠くという問題点があった。
【０００６】
本発明は、斯かる事情に鑑みてなされたものであり、その目的とするところは、風呂蓋の両面における被覆部でのすべり易さが異なり、利便性を向上することができる風呂蓋を提供することにある。
【課題を解決するための手段】
【０００７】
本発明に係る風呂蓋は、板状の蓋本体と、該蓋本体の両面の縁部を覆う被覆材と、を備え、前記被覆材は、前記蓋本体の一面側の縁部を覆う第１部分の硬度が、他面側の縁部を覆う第２部分の硬度よりも高いことを特徴とする。
【０００８】
本発明にあっては、第１部分の硬度が第２部分の硬度よりも高いため、第１部分を浴槽の上部に接触させた状態で風呂蓋がすべり易く、第２部分を浴槽の上部に接触させた状態で風呂蓋がすべり難くなるので、風呂蓋の利便性が向上する。
【０００９】
本発明に係る風呂蓋は、板状の蓋本体と、該蓋本体の両面の縁部を覆う被覆材と、を備え、前記被覆材は、前記蓋本体の一面側の縁部を覆う第１部分の表面が平坦状をなし、前記蓋本体の他面側の縁部を覆う第２部分の表面に凹凸が設けられていることを特徴とする。
【００１０】
本発明にあっては、第１部分の表面が平坦状であるため、第１部分を浴槽の上部に接触させた状態で風呂蓋がすべり易く、第２部分の表面に凹凸が設けられているため、第２部分を浴槽の上部に接触させた状態で風呂蓋がすべり難くなるので、風呂蓋の利便性が向上する。
【発明の効果】
【００１１】
本発明によれば、風呂蓋の両面における被覆部でのすべり易さが異なり、風呂蓋の利便性を向上することができる。
【図面の簡単な説明】
【００１２】
【図１】実施形態に係る風呂蓋の使用状態を示す斜視図である。
【図２】実施形態に係る風呂蓋を載せる浴槽の外観を示す斜視図である。
【図３】実施形態に係る風呂蓋の外観を示す斜視図である。
【図４】風呂蓋の平面図である。
【図５】図４のＡ−Ａ線による風呂蓋の断面図である。
【図６】図４のＢ−Ｂ線による風呂蓋の断面図である。
【図７】風呂蓋に着座して使用する場合の使用状態を示す模式図である。
【図８】風呂蓋をテーブルとして使用する場合の使用状態を示す模式図である。
【図９】変形例に係る被覆材の模式図である。
【発明を実施するための形態】
【００１３】
以下、本発明を好適な実施の形態をもとに図１から図９を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
図１は本発明の実施形態に係る風呂蓋１００の使用状態を示す斜視図であり、図２は本発明の実施形態に係る風呂蓋１００を載せる浴槽１１０の外観を示す斜視図である。風呂蓋１００は、浴槽１１０の上部に載せられ、図示しない他の風呂蓋とともに浴槽１１０に溜めた湯を保温する。風呂蓋１００は、湯の保温以外にユーザが着座したり、テーブル代わりとしても使用される。浴槽１１０は、上部のフランジ部１１２の内側にフランジ部１１２から１段下がったフランジ段部１１４が周状に設けられている。風呂蓋１００は、浴槽１１０のフランジ段部１１４に載せられる。風呂蓋１００は、洗い場に設けられたカウンター１１６とほぼ同じ高さにあり、浴槽１１０の長手方向の端部１１５に寄せて位置させた状態で、ユーザが風呂蓋１００およびカウンター１１６間を移乗して動作するのに適する。
【００１５】
図３は本発明の実施形態に係る風呂蓋１００の外観を示す斜視図であり、図４は風呂蓋１００の平面図であり、図５は図４に示すＡ−Ａ線による風呂蓋１００の断面図である。図６は図４に示すＢ−Ｂ線による風呂蓋１００の断面図である。風呂蓋１００は、矩形板状をなす蓋本体１と、蓋本体１の両面の縁部および外周端面を覆う被覆材２とを備える。
【００１６】
蓋本体１は、芯材１１、表面材１２及び１３、並びにクッション材１４を有する。芯材１１は、発泡ポリスチレン等の発泡樹脂製であり、浴槽１１０に溜めた湯の保温性を高めるため適度な厚みを有する矩形板状をなす。表面材１２は、ガラス繊維に合成樹脂を含浸した繊維強化樹脂（ＦＲＰ）の薄板であり、芯材１１の厚み方向の一面側を覆う。表面材１３は、ガラス繊維に合成樹脂を含浸した繊維強化樹脂（ＦＲＰ）の薄板の表面に保護膜としてポリプロピレン製シートを貼り付けてあり、芯材１１の厚み方向の他面側を覆う。ポリプロピレン製シートは、例えば革シボ調の表面加工を施し、意匠性を高めてある。
【００１７】
クッション材１４は発泡ポリエチレン等の発泡樹脂製であり、芯材１１の一面側を覆うように設けられている。クッション材１４は、縁部において、長辺１辺に沿う隆起部１４ａおよび短辺２辺に沿う隆起部１４ｂを有する。隆起部１４ａおよび１４ｂは連続している。クッション材１４は、隆起部１４ａを設けた長辺に対向する長辺の縁部においては、隆起部分を有しない。クッション材１４表面の隆起は、平面図で見て、全体としてＣ字状をなす。隆起部１４ａおよび１４ｂは、視覚的に着座の方向性を示すとともに、ユーザの座り心地を良くしている。尚、クッション材１４は、例えば革シボ調の表面加工を施し、意匠性を高めてある。
【００１８】
被覆材２は、風呂蓋１００の短辺２辺に沿って延びる被覆部２１、風呂蓋１００の長辺１辺に沿って延びる被覆部２２、該長辺に対向する長辺１辺に沿って延びる被覆部２３で構成される。図５を参照し、被覆部２１について説明する。被覆部２１は、第１部分２１ａ、第２部分２１ｂ、端面被覆部２１ｃ、および補強部２１ｄを有する。端面被覆部２１ｃは、蓋本体１の厚み方向の幅を有して蓋本体１の短辺に沿って延びる板状をなし、蓋本体１の外周端面を覆う。
【００１９】
第１部分２１ａは、端面被覆部２１ｃにおける蓋本体１の厚み方向の一端から蓋本体１の内向きに屈曲し、蓋本体１の短辺に沿って延びる板状をなし、蓋本体１のクッション材１４表面の縁部を覆う。また、第２部分２１ｂは、端面被覆部２１ｃにおける蓋本体１の厚み方向の他端から蓋本体１の内向きに屈曲し、蓋本体１の短辺に沿って延びる板状をなし、蓋本体１の表面材１３表面の縁部を覆う。図５に示す断面において、第１部分２１ａにおける端面被覆部２１ｃの一端に連なる基端部から先端部までの寸法は、第２部分２１ｂにおける端面被覆部２１ｃの他端に連なる基端部から先端部までの寸法よりも大きい。
【００２０】
第１部分２１ａは、風呂蓋１００の外周面となる面と、蓋本体１のクッション材１４を覆う部分の表面とが交差する角部３１ａに丸みを持たせてある。また、第２部分２１ｂは、風呂蓋１００の外周面となる面と、蓋本体１の表面材１３を覆う部分の表面とが交差する角部３１ｂに丸みを持たせてある。第１部分２１ａの角部３１ａの丸みは、第２部分２１ｂの角部３１ｂの丸みと同程度である。
【００２１】
補強部２１ｄは、蓋本体１の厚み方向に幅を有して蓋本体１の短辺に沿って延びる板状をなし、端面被覆部２１ｃの内面側に設けられる。第１部分２１ａ、第２部分２１ｂおよび補強部２１ｄは、それぞれの蓋本体１との接触面において、蓋本体１の芯材１１の外周端面に接着剤を用いて貼り付けられる。クッション材１４の縁は、第１部分２１ａの弾性力によって厚み方向に押圧されている。
【００２２】
第１部分２１ａ、第２部分２１ｂ、端面被覆部２１ｃおよび補強部２１ｄは、例えばオレフィン系エラストマーで構成し、含有するポリプロピレンの量によって、各部位の用途に応じた硬度とする。第１部分２１ａの硬度は、第２部分２１ｂの硬度よりも高くする。具体的には、第１部分２１ａは、ＪＩＳ  Ｋ６２５３に従うショアＡ硬度を９０以上とし、第２部分２１ｂは、ＪＩＳ  Ｋ６２５３に従うショアＡ硬度を８０以上９０未満とする。端面被覆部２１ｃの硬度は、第１部分２１ａの硬度と同じとする。
【００２３】
第１部分２１ａ、第２部分２１ｂ、端面被覆部２１ｃおよび補強部２１ｄは、押出しまたは射出により一体成形するか、若しくはそれぞれ別体で成形したものを接着剤で貼り合わせてもよい。また、部分的に組み合わせた成形品を接着剤で貼り合わせるようにしてもよい。
【００２４】
次に図６を参照し、被覆部２２および被覆部２３について説明する。被覆部２２は、第１部分２２ａ、第２部分２２ｂ、端面被覆部２２ｃおよび補強部２２ｄを有する。被覆部２３は、第１部分２３ａ、第２部分２３ｂ、端面被覆部２３ｃおよび補強部２３ｄを有する。端面被覆部２２ｃおよび２３ｃは、蓋本体１の厚み方向の幅を有して蓋本体１の長辺に沿って延びる板状をなし、蓋本体１の外周端面を覆う。
【００２５】
第１部分２２ａおよび２３ａは、それぞれ端面被覆部２２ｃおよび２３ｃにおける蓋本体１の厚み方向の一端から蓋本体１の内向きに屈曲し、蓋本体１の長辺に沿って延びる板状をなし、蓋本体１のクッション材１４表面の縁部を覆う。また、第２部分２２ｂおよび２３ｂは、それぞれ端面被覆部２２ｃおよび２３ｃにおける蓋本体１の厚み方向の他端から蓋本体１の内向きに屈曲し、蓋本体１の長辺に沿って延びる板状をなし、蓋本体１の表面材１３表面の縁部を覆う。
【００２６】
図６に示す断面において、第１部分２２ａにおける端面被覆部２２ｃの一端に連なる基端部から先端部までの寸法は、第２部分２２ｂにおける端面被覆部２２ｃの他端に連なる基端部から先端部までの寸法よりも大きい。また、第１部分２３ａにおける端面被覆部２３ｃの一端に連なる基端部から先端部までの寸法は、第２部分２３ｂにおける端面被覆部２３ｃの他端に連なる基端部から先端部までの寸法よりも大きい。
【００２７】
第１部分２２ａおよび２３ａは、それぞれ風呂蓋１００の外周面となる面と、蓋本体１のクッション材１４を覆う部分の表面とが交差する角部３２ａおよび３３ａに丸みを持たせてある。また、第２部分２２ｂおよび２３ｂは、それぞれ風呂蓋１００の外周面となる面と、蓋本体１の表面材１３を覆う部分の表面とが交差する角部３２ｂおよび３３ｂに丸みを持たせてある。
【００２８】
被覆部２２において、第１部分２２ａの角部３２ａの丸みは、第２部分２２ｂの角部３２ｂの丸みと同程度である。また被覆部２３において、第１部分２３ａの角部３３ａの丸みは、第２部分２３ｂの角部３３ｂの丸みと同程度である。被覆部２３と被覆部２２とを比較すると、角部３３ａの丸みは角部３２ａの丸みよりも大きく、角部３３ｂの丸みは角部３２ｂの丸みよりも大きい。
【００２９】
補強部２２ｄおよび２３ｄは、それぞれ蓋本体１の厚み方向に幅を有して蓋本体１の長辺に沿って延びる板状をなし、端面被覆部２２ｃおよび２３ｃの内面側に設けられる。第１部分２２ａ、第２部分２２ｂおよび補強部２２ｄは、それぞれの蓋本体１との接触面において、蓋本体１の芯材１１の外周端面に接着剤を用いて貼り付けられる。また、第１部分２３ａ、第２部分２３ｂおよび補強部２３ｄは、それぞれの蓋本体１との接触面において、蓋本体１の芯材１１の外周端面に接着剤を用いて貼り付けられる。クッション材１４の縁は、第１部分２２ａおよび２３ａの弾性力によって厚み方向に押圧されている。
【００３０】
第１部分２２ａおよび２３ａ、第２部分２２ｂおよび２３ｂ、端面被覆部２２ｃおよび２３ｃ、並びに補強部２２ｄおよび２３ｄは、例えばオレフィン系エラストマーで構成し、含有するポリプロピレンの量によって、各部位の用途に応じた硬度とする。被覆部２２において、第１部分２２ａの硬度は、第２部分２２ｂの硬度よりも高くする。具体的には、第１部分２２ａは、ＪＩＳ  Ｋ６２５３に従うショアＡ硬度を９０以上とし、第２部分２２ｂは、ＪＩＳ  Ｋ６２５３に従うショアＡ硬度を８０以上９０未満とする。端面被覆部２２ｃの硬度は、第１部分２２ａの硬度と同じとする。
【００３１】
同様に、被覆部２３において、第１部分２３ａの硬度は、第２部分２３ｂの硬度よりも高くする。具体的には、第１部分２３ａは、ＪＩＳ  Ｋ６２５３に従うショアＡ硬度を９０以上とし、第２部分２３ｂは、ＪＩＳ  Ｋ６２５３に従うショアＡ硬度を８０以上９０未満とする。端面被覆部２３ｃの硬度は、第１部分２３ａの硬度と同じとする。
【００３２】
被覆部２２において、第１部分２２ａ、第２部分２２ｂ、端面被覆部２２ｃおよび補強部２２ｄは、押出しまたは射出により一体成形するか、若しくはそれぞれ別体で成形したものを接着剤で貼り合わせてもよい。被覆部２３において、第１部分２３ａ、第２部分２３ｂ、端面被覆部２３ｃおよび補強部２３ｄは、押出しまたは射出により一体成形するか、若しくはそれぞれ別体で成形したものを接着剤で貼り合わせてもよい。また、部分的に組み合わせた成形品を接着剤で貼り合わせるようにしてもよい。
【００３３】
次に、風呂蓋１００の動作について説明する。図７は風呂蓋１００に着座して使用する場合の使用状態を示す模式図であり、図８は風呂蓋１００をテーブルとして使用する場合の使用状態を示す模式図である。
【００３４】
図７に示すように、風呂蓋１００にユーザが着座して使用する場合、風呂蓋１００は、クッション材１４側を上にして浴槽１１０のフランジ段部１１４に載せる。クッション材１４は、ユーザが風呂蓋１００に着座したときに、適度な反発力で体重を支え、長時間の着座を可能にする。また、蓋本体１は、芯材１１の厚み方向の両面を繊維強化樹脂製の表面材１２および１３で覆っているので、強度が高く、ユーザの体重に耐える。また、被覆材２は、補強部２１ｄ、２２ｄおよび２３ｄを有し、蓋本体１の撓みを抑える。クッション材１４の表面に革シボ調などの表面加工を施し、ユーザとの接触面を減らすような微細な凹凸があると、座った時に冷やっとする感覚を抑えることもできる。
【００３５】
風呂蓋１００は、被覆材２における被覆部２１の第２部材２１ｂの表面がフランジ段部１１４に接触する。第２部材２１ｂは、第１部材２１ａよりも硬度が低いため、風呂蓋１００にユーザが着座したときの重みで、表面がフランジ段部１１４に圧接されて変形し、フランジ段部１１４との接触面積が増加する。風呂蓋１００は、第２部材２１ｂとフランジ段部１１４との接触面積が増加することによって、フランジ段部１１４の面に沿う方向に対してすべり難く安定性が高くなるので、風呂蓋１００のずれを直す手間が掛からず利便性が向上する。
【００３６】
また図７に示すように、風呂蓋１００を浴槽１１０の長手方向の端部１１５に寄せて使用する場合、風呂蓋１００は、被覆材２における被覆部２２の第２部材２２ｂの表面もフランジ段部１１４に接触する。第２部材２２ｂは、第１部材２２ａよりも硬度が低いため、風呂蓋１００にユーザが着座したときの重みで、表面がフランジ段部１１４に圧接されて変形し、フランジ段部１１４との接触面積が増加する。風呂蓋１００は、第２部材２２ｂとフランジ段部１１４との接触面積が増加することによって、フランジ段部１１４の面に沿う方向に対してすべり難く安定性が高くなるので、風呂蓋１００のずれを直す手間が掛からず利便性が向上する。
【００３７】
クッション材１４の隆起部１４ａおよび１４ｂは、上述のとおり、平面図で見て全体としてＣ字状をなし、視覚的に着座の方向性を示す。即ち、隆起部１４ａおよび１４ｂは、隆起部１４ａを背中側にして着座することで、座り易くなる印象をユーザに与える。ユーザが隆起部１４ａを背中側にして着座したとき、大腿部は、縁部に沿って隆起のないクッション材１４の長辺に位置し、被覆材２の被覆部２３に接触する。被覆部２３は、被覆部２２に比較して、角部３３ａの丸みが角部３２ａの丸みよりも大きいので、大腿部が角部３３ａから受ける痛みが軽減される。
【００３８】
被覆材２の被覆部２１において、第１部分２１ａにおける端面被覆部２１ｃの一端に連なる基端部から先端部までの寸法は、第２部分２１ｂにおける端面被覆部２１ｃの他端に連なる基端部から先端部までの寸法よりも大きい。これにより、第１部分２１ａは、クッション材１４の捲れの防止に適する。被覆材２の被覆部２２および２３においても、被覆部２１と同様に構成されているので、第１部分２２ａおよび２３ａは、クッション材１４の捲れの防止に適する。
【００３９】
図８に示すように、風呂蓋１００をテーブルとして使用する場合、風呂蓋１００は、表面材１３側を上にして浴槽１１０のフランジ段部１１４に載せる。風呂蓋１００は、被覆材２における被覆部２１の第１部材２１ａの表面がフランジ段部１１４に接触する。第１部材２１ａは、第２部材２１ｂよりも硬度が高いため、風呂蓋１００をフランジ段部１１４に載せた状態では表面が変形し難く、フランジ段部１１４との接触面積の増加が抑制される。風呂蓋１００は、第１部材２１ａとフランジ段部１１４との接触面積の増加が抑制されることによって、フランジ段部１１４の面に沿う方向に対してすべり易い。風呂蓋１００は、フランジ段部１１４の上ですべり易いので、ユーザがテーブルとして利用する際に、容易に手前に近づけたり、遠ざけたりすることが可能であり、利便性が向上する。
【００４０】
また、表面材１３側を上にして、風呂蓋１００を浴槽１１０のフランジ段部１１４に載せ、風呂蓋１００を浴槽１１０の長手方向の端部１１５に寄せて位置させた状態では、被覆材２における被覆部２２の第１部材２２ａの表面がフランジ段部１１４に接触する。被覆部２２の第１部材２２ａは、第２部材２２ｂよりも硬度が高いため、風呂蓋１００をフランジ段部１１４に載せた状態では表面が変形し難く、フランジ段部１１４との接触面積の増加が抑制される。風呂蓋１００は、第１部材２２ａとフランジ段部１１４との接触面積の増加が抑制されることによって、フランジ段部１１４の面に沿う方向に対してすべり易い。風呂蓋１００は、フランジ段部１１４の上ですべり易いので、ユーザがテーブルとして利用する際に、容易に手前に近づけたり、遠ざけたりすることが可能であり、利便性が向上する。
【００４１】
被覆材２の被覆部２３は、被覆部２２と比較して、角部３３ｂの丸みが角部３２ｂの丸みよりも大きく、第２部分２３ｂの硬度が第１部分２３ａの硬度よりも低いので、テーブルとして使用する際に、被覆部２３へ腕をもたせかけたときに、腕が角部３３ｂから受ける痛みが軽減される。
【００４２】
被覆材２の被覆部２１および２２において、第１部分２１ａおよび２２ａの硬度をＪＩＳ  Ｋ６２５３に従うショアＡ硬度を９０以上とすることによって、フランジ段部１１４で風呂蓋１００がすべり易くなる。更に、第１部分２１ａおよび２２ａは、手指の爪等が当たったときに表面に傷がつき難く、クッション材１４の捲れを防止する。端面被覆部２１ｃおよび２２ｃの硬度をそれぞれ第１部分２１ａおよび２２ａの硬度と同じとすることにより、端面被覆部２１ｃおよび２２ｃに手指の爪等が当たったとき表面への傷がつき難く、風呂蓋１００を縦置きしたときに相手側と接触する部分での傷もつき難くなる。
【００４３】
また、第２部分２１ｂおよび２２ｂは、ＪＩＳ  Ｋ６２５３に従うショアＡ硬度を８０以上９０未満とすることによって、フランジ段部１１４で風呂蓋１００がすべり難くなる。第２部分２１ｂおよび２２ｂは、８０以上のショアＡ硬度にすることで、フランジ段部１１４と擦れて生じる摩耗、および腐食によって生じる材質の劣化が防止される。
【００４４】
被覆材２の被覆部２３において、第１部分２３ａの硬度をＪＩＳ  Ｋ６２５３に従うショアＡ硬度を９０以上とすることによって、第１部分２３ａに手指の爪等が当たったときに表面に傷がつき難く、クッション材１４の捲れを防止する。端面被覆部２３ｃの硬度を第１部分２３ａの硬度と同じとすることにより、端面被覆部２３ｃに手指の爪等が当たったとき表面への傷がつき難く、風呂蓋１００を縦置きしたときに相手側と接触する部分での傷もつき難くなる。
【００４５】
また、第２部分２３ｂは、ＪＩＳ  Ｋ６２５３に従うショアＡ硬度を８０以上９０未満とすることによって、腕をもたせかけたときに、腕が角部３３ｂから受ける痛みが軽減される。第２部分２３ｂは、８０以上のショアＡ硬度にすることで、フランジ段部１１４と擦れて生じる摩耗、および腐食によって生じる材質の劣化が防止される。
【００４６】
次に、風呂蓋１００の特徴を説明する。
本発明の実施形態の風呂蓋１００は、板状の蓋本体１と、蓋本体１の両面の縁部を覆う被覆材２とを備える。被覆材２の被覆部２１および２２において、各被覆部における蓋本体１の一面側の縁部を覆う第１部分２１ａおよび２２ａの硬度は、それぞれ他面側の縁部を覆う第２部分２１ｂおよび２２ｂの硬度よりも高い。これにより、被覆部２１の第１部分２１ａを浴槽１１０上部のフランジ段部１１４に接触させた状態で風呂蓋１００がすべり易く、第２部分２１ｂを浴槽１１０上部のフランジ段部１１４に接触させた状態で風呂蓋１００がすべり難くなるので、風呂蓋１００の利便性が向上する。また、被覆部２２の第１部分２２ａを浴槽１１０上部のフランジ段部１１４に接触させた状態で風呂蓋１００がすべり易く、第２部分２２ｂを浴槽１１０上部のフランジ段部１１４に接触させた状態で風呂蓋１００がすべり難くなるので、風呂蓋１００の利便性が向上する。なお、被覆材２は、第１部分２１ａおよび２２ａ、並びに第２部分２１ｂおよび２２ｂを有していれば、蓋本体１の外周端面を覆う部分がない構成であっても良いし、上述のように被覆材２が端面被覆部２１ｃおよび２２ｃを有する構成であっても良い。
【００４７】
また、風呂蓋１００では、第１部分２１ａおよび２２ａが９０以上のショアＡ硬度を有し、第２部分２１ｂおよび２２ｂが８０以上９０未満のショアＡ硬度を有する。これにより、第１部分２１ａおよび２２ａは、手指の爪等が当たったときに表面に傷がつき難く、クッション材１４の捲れを防止する。また、第２部分２１ｂおよび２２ｂは、８０以上のショアＡ硬度にすることで、フランジ段部１１４と擦れて生じる摩耗、および腐食によって生じる材質の劣化が防止される。
【００４８】
また、風呂蓋１００では、被覆材２が蓋本体１の外周端面を覆う端面被覆部２１ｃおよび２２ｃを有する。端面被覆部２１ｃおよび２２ｃの硬度は、それぞれ第１部分２１ａおよび２２ａの硬度と同じである。これにより、端面被覆部２１ｃおよび２２ｃに手指の爪等が当たったとき表面への傷がつき難く、風呂蓋１００を縦置きしたときに相手側と接触する部分での傷もつき難くなる。
【００４９】
また、風呂蓋１００では、蓋本体１が芯材１１および芯材１１の一面側を覆うクッション材１４を有するので、浴槽１１０に溜めた湯の保温性が高く、ユーザが風呂蓋１００に着座したときに、適度な反発力で体重を支え、長時間の着座を可能にする。
【００５０】
次に変形例について説明する。図９は変形例に係る被覆材２の模式図である。図９は被覆材２の被覆部２１について示すが、被覆部２２についても同様であり簡潔化のため図示を省略する。変形例に係る被覆材２は、上述の実施形態と同様に被覆部２１、２２および２３を有するが、被覆部２１の第２部材２１ｂおよび被覆部２２の第２部材２２ｂの表面に微小な凹凸を設けたものである。一方、被覆部２１の第１部材２１ａおよび被覆部２２の第１部材２２ａの表面は、平坦状とする。第１部材２１ａおよび２２ａの硬度、並びに第２部材２１ｂおよび２２ｂの硬度は、上述の実施形態と同様とする。
【００５１】
第２部材２１ｂおよび２２ｂは、微小な凹凸を設けることによって接触する浴槽１１０のフランジ段部１１４との摩擦が大きくなる。風呂蓋１００は、クッション材１４を上にして浴槽１１０上部のフランジ段部１１４に載せたとき、第２部材２１ｂおよび２２ｂがフランジ段部１１４に接触し、第２部材２１ｂおよび２２ｂに設けた微小な凹凸により摩擦が大きくすべり難い。一方、風呂蓋１００は、表面材１３を上にして浴槽１１０上部のフランジ段部１１４に載せたとき、第１部材２１ａおよび２２ａがフランジ段部１１４に接触し、第１部材２１ａおよび２２ａの表面が平坦状であるために摩擦が小さくすべり易い。
【００５２】
また、被覆部２１の第２部材２１ｂおよび被覆部２２の第２部材２２ｂの表面に微小な凹凸を設け、第１部材２１ａおよび２２ａの表面を平坦状とし、第２部材２１ｂおよび２２ｂの硬度を第１部材２１ａおよび２２ａの硬度と同じとしてもよい。この場合、第１部材２１ａおよび２２ａ、並びに第２部材２１ｂおよび２２ｂの硬度は、ＪＩＳ  Ｋ６２５３に従うショアＡ硬度を９０以上とする。第２部材２１ｂおよび２２ｂの硬度が第１部材２１ａおよび２２ａの硬度と同じであっても、風呂蓋１００は、クッション材１４を上にして浴槽１１０上部のフランジ段部１１４に載せたとき、第２部材２１ｂおよび２２ｂに設けた微小な凹凸によって接触する浴槽１１０のフランジ段部１１４との摩擦が大きくすべり難くい。一方、風呂蓋１００は、表面材１３を上にして浴槽１１０上部のフランジ段部１１４に載せたとき、第１部材２１ａおよび２２ａがフランジ段部１１４に接触し、第１部材２１ａおよび２２ａの表面が平坦状であるために摩擦が小さくすべり易い。
【００５３】
以上の変形例の特徴について説明する。
変形例に係る風呂蓋１００では、被覆材２の被覆部２１および２２における第１部分２１ａおよび２２ａの表面が平坦状をなし、第２部分２１ｂおよび２２ｂの表面に凹凸が設けられている。これにより、第１部材２１ａおよび２２ａを浴槽１１０上部のフランジ段部１１４に接触させた状態で風呂蓋１００がすべり易く、第２部材２１ｂおよび２２ｂを浴槽１１０上部のフランジ段部１１４に接触させた状態で風呂蓋１００がすべり難くなるので、風呂蓋１００の利便性が向上する。
【００５４】
また、風呂蓋１００は、板状の蓋本体１と、蓋本体１の両面の縁部を覆う被覆材２とを備える。被覆材２の被覆部２１および２２において、各被覆部における蓋本体１の一面側の縁部を覆う第１部分２１ａおよび２２ａの表面が平坦状をなし、他面側の縁部を覆う第２部分２１ｂおよび２２ｂの表面に凹凸が設けられている。これにより、第２部材２１ｂおよび２２ｂの硬度が第１部材２１ａおよび２２ａの硬度と同じ場合にも、第１部材２１ａおよび２２ａを浴槽１１０上部のフランジ段部１１４に接触させた状態で風呂蓋１００がすべり易く、第２部材２１ｂおよび２２ｂを浴槽１１０上部のフランジ段部１１４に接触させた状態で風呂蓋１００がすべり難くなるので、風呂蓋１００の利便性が向上する。なお、被覆材２は、第１部分２１ａおよび２２ａ、並びに第２部分２１ｂおよび２２ｂを有していれば、蓋本体１の外周端面を覆う部分がない構成であっても良いし、上述のように被覆材２が端面被覆部２１ｃおよび２２ｃを有する構成であっても良い。
【００５５】
上述の実施の形態及び変形例では、本発明に係る風呂蓋１００を浴槽１１０のフランジ段部１１４に載せて使用する例を示したが、フランジ段部１１４が設けられていない浴槽１１０上部のフランジ部１１２に載せて使用することもできる。
【００５６】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５７】
１  蓋本体、  １１  芯材、  １４  クッション材、  ２  被覆材、
２１ａ，２２ａ  第１部材、  ２１ｂ，２２ｂ  第２部材、
２１ｃ，２２ｃ  端面被覆部、  １００  風呂蓋。
【図１】
2017119006.tif 000003
【図２】
2017119006.tif 000004
【図３】
2017119006.tif 000005
【図４】
2017119006.tif 000006
【図５】
2017119006.tif 000007
【図６】
2017119006.tif 000008
【図７】
2017119006.tif 000009
【図８】
2017119006.tif 000010
【図９】
2017119006.tif 000011